(57)【要約】【課題】  蓄積された画像データを簡易な作業で適切な条件によりプリント出力できる画像処理装置、画像処理方法及びそのためのプログラムを提供する。【解決手段】  画像読取部１０が原稿を読み取ると、サムネイル作成部２８が、オリジナル画像データを間引きして縮小化したサムネイル画像データを作成し、読取処理情報を記号化してサムネイル画像データに付加する。上記読取処理情報を表す記号とサムネイル画像データからサムネイル画像ファイルが作成され、記憶部３０に記憶される。上記サムネイル画像データはディスプレイ２２に一覧表示され、ユーザが選択すると、選択されたサムネイル画像のオリジナル画像データに関する出力処理情報を処理情報検出部１２が抽出し、出力制御部１８がこの出力処理情報に従ってプリンタ２０を制御し、プリント出力する。【選択図】        図１
2006270451.tif 000002
【特許請求の範囲】
【請求項１】
原稿の画像を読み取って画像データを生成する画像読取手段と、
画像読取時と画像出力時における画像データの処理情報を検出する処理情報検出手段と、
前記処理情報と前記画像データとを合成し、処理情報付き画像ファイルを作成するファイル作成手段と、
前記画像データを前記処理情報付き画像ファイルに含まれる処理情報に基づき編集する画像編集手段と、
前記編集した画像データを出力する画像出力手段と、
を備えることを特徴とする画像処理装置。
【請求項２】
請求項１記載の画像処理装置は、さらに前記画像データからサムネイル画像データを作成するサムネイル作成手段と、前記サムネイル画像データを表示する表示手段と、を備えることを特徴とする画像処理装置。
【請求項３】
請求項２記載の画像処理装置において、前記サムネイル作成手段は、前記ファイル作成手段が作成した処理情報付き画像ファイルから処理情報を取得し、これを記号化して前記サムネイル画像データに付加することを特徴とする画像処理装置。
【請求項４】
請求項３記載の画像処理装置において、前記画像出力手段は、前記画像読取時の画像データの処理情報に基づき、実行可能な画像データの処理情報を制限し、制限した処理情報の記号の表示態様に所定の変化を持たせることを特徴とする画像処理装置。
【請求項５】
請求項１から請求項４のいずれか一項記載の画像処理装置は、さらに画像データを記憶する記憶手段と、前記記憶手段に記憶させる画像データを、前記画像読取手段が読み取ったオリジナル画像データと前記画像編集手段により編集された編集後画像データとから選択する画像選択手段と、を備えることを特徴とする画像処理装置。
【請求項６】
請求項１から請求項５のいずれか一項記載の画像処理装置において、前記画像出力手段は、ファイル出力またはプリント出力を実行することを特徴とする画像処理装置。
【請求項７】
請求項６記載の画像処理装置は、さらに前記画像出力手段からの出力内容を、ファイル出力とプリント出力、プリント出力のみ、またはファイル出力のみから選択する出力選択手段を備えることを特徴とする画像処理装置。
【請求項８】
原稿の画像を読み取って画像データを生成するステップと、
前記画像データを編集するステップと、
前記編集した画像データを出力するステップと、
画像読取時と画像出力時における画像データの処理情報を検出するステップと、
前記処理情報と前記画像データとを合成し、処理情報付き画像ファイルを作成するステップと、
を備えることを特徴とする画像処理方法。
【請求項９】
原稿の画像を読み取って画像データを生成し、
前記画像データを編集し、
前記編集した画像データを出力し、
画像読取時と画像出力時における画像データの処理情報を検出し、
前記処理情報と前記画像データとを合成し、処理情報付き画像ファイルを作成する処理をコンピュータに実行させることを特徴とするプログラム。
【発明の詳細な説明】
【技術分野】
【０００１】
本発明は、原稿の画像を読み取り、これを編集して出力する画像処理装置、画像処理方法及びそのためのプログラムに関する。
【背景技術】
【０００２】
従来より、スキャナ等の画像読取装置で原稿を読み取って取得した画像データを蓄積し、所望の画像データを検索してプリント出力する機能を有する複写機が使用されている。このような複写機において、画像データをプリント出力する際には、例えばファイル名等によるリストから所望の画像データを特定し、必要なプリント出力条件を設定した後プリント出力させる手順となっていた。
【０００３】
下記特許文献１には、上記複写機の例として、画像データに読み取り条件を付加して記憶しておき、これを印刷出力することにより、画像データの特定を容易化できる画像処理装置が開示されている。
【特許文献１】特開２００２−２４７９８号公報
【発明の開示】
【発明が解決しようとする課題】
【０００４】
しかし、上記従来の技術においては、画像データの読み取り条件が画像データとともに印刷出力されるが、当該画像データのプリント出力の際には、上記読み取り条件に基づき、プリント出力条件の設定をユーザが手作業で行う必要があり、作業が煩雑となるという問題があった。
【０００５】
本発明は、上記従来の課題に鑑みなされたものであり、その目的は、蓄積された画像データを簡易な作業で適切な条件によりプリント出力できる画像処理装置、画像処理方法及びそのためのプログラムを提供することにある。
【課題を解決するための手段】
【０００６】
上記目的を達成するために、本発明は、画像処理装置であって、原稿の画像を読み取って画像データを生成する画像読取手段と、画像読取時と画像出力時における画像データの処理情報を検出する処理情報検出手段と、前記処理情報と前記画像データとを合成し、処理情報付き画像ファイルを作成するファイル作成手段と、前記画像データを前記処理情報付き画像ファイルに含まれる処理情報に基づき編集する画像編集手段と、前記編集した画像データを出力する画像出力手段と、を備えることを特徴とする。
【０００７】
また、上記画像処理装置は、さらに前記画像データからサムネイル画像データを作成するサムネイル作成手段と、前記サムネイル画像データを表示する表示手段と、を備えることを特徴とする。
【０００８】
ここで、上記サムネイル作成手段は、前記ファイル作成手段が作成した処理情報付き画像ファイルから処理情報を取得し、これを記号化して前記サムネイル画像データに付加することを特徴とする。
【０００９】
また、上記画像出力手段は、前記画像読取時の画像データの処理情報に基づき、実行可能な画像データの処理情報を制限し、制限した処理情報の記号の表示態様に所定の変化を持たせることを特徴とする。
【００１０】
また、上記画像処理装置は、さらに画像データを記憶する記憶手段と、前記記憶手段に記憶させる画像データを、前記画像読取手段が読み取ったオリジナル画像データと前記画像編集手段により編集された編集後画像データとから選択する画像選択手段と、を備えることを特徴とする。
【００１１】
ここで、上記画像出力手段は、ファイル出力またはプリント出力を実行することを特徴とする。
【００１２】
また、上記画像処理装置は、さらに前記画像出力手段からの出力内容を、ファイル出力とプリント出力、プリント出力のみ、またはファイル出力のみから選択する出力選択手段を備えることを特徴とする。
【００１３】
また、本発明は、画像処理方法であって、原稿の画像を読み取って画像データを生成するステップと、前記画像データを編集するステップと、前記編集した画像データを出力するステップと、画像読取時と画像出力時における画像データの処理情報を検出するステップと、前記処理情報と前記画像データとを合成し、処理情報付き画像ファイルを作成するステップと、を備えることを特徴とする。
【００１４】
また、本発明は、プログラムであって、原稿の画像を読み取って画像データを生成し、前記画像データを編集し、前記編集した画像データを出力し、画像読取時と画像出力時における画像データの処理情報を検出し、前記処理情報と前記画像データとを合成し、処理情報付き画像ファイルを作成する処理をコンピュータに実行させることを特徴とする。
【発明を実施するための最良の形態】
【００１５】
以下、本発明を実施するための最良の形態（以下、実施形態という）を、図面に従って説明する。
【００１６】
図１には、本発明にかかる画像処理装置の構成例のブロック図が示される。図１において、画像処理装置は、画像読取部１０、処理情報検出部１２、ファイル作成部１４、画像編集部１６、出力制御部１８、プリンタ２０、ディスプレイ２２、ファイル出力部２４、出力選択部２６、サムネイル作成部２８、記憶部３０及び画像選択部３２を含んで構成されている。
【００１７】
画像読取部１０は、スキャナ１１等に接続され、原稿の画像を読み取って画像データを生成する処理を制御する。
【００１８】
処理情報検出部１２は、上記画像読取部１０により生成される画像データの読取時（読取ジョブ）における読取処理情報及び後に述べる出力制御部１８による画像出力時（出力ジョブ）における画像データの出力処理情報を検出する。なお、本明細書では、これらの読取処理情報及び出力処理情報を、まとめて処理情報という。
【００１９】
ファイル作成部１４は、上記処理情報と画像データとを合成し、処理情報付き画像ファイルを作成する機能を有する。この処理情報には、例えばカラーモード、倍率、解像度、原稿サイズ、文字／写真等の画像モード、濃度等が含まれる。
【００２０】
画像編集部１６は、上記処理情報付き画像ファイルに含まれる処理情報に基づき画像データを編集する機能を有する。
【００２１】
出力制御部１８は、上記画像編集部１６が編集した画像データの出力動作を制御する。この画像データの出力には、プリンタ２０によるプリント出力、ディスプレイ２２による表示出力、ファイル出力部２４による記憶部や他の装置に対するファイル出力等がある。ここで、出力制御部１８、プリンタ２０、ディスプレイ２２及びファイル出力部２４により、本発明にかかる画像出力手段が構成される。なお、この画像出力手段による出力内容は、出力選択部２６により「ファイル出力とプリント出力」、「プリント出力のみ」、「ファイル出力のみ」等の中から選択される。
【００２２】
サムネイル作成部２８は、上記画像データを間引きして縮小化したサムネイル画像データを作成する。このサムネイル画像データには、上記処理情報検出部１２が検出し、処理情報付き画像ファイルに格納された処理情報をサムネイル作成部２８が取得して、読取ジョブまたは出力ジョブ毎に付加する。この際、サムネイル作成部２８は、上記処理情報を記号化して付加する。このような記号化された処理情報が付加されたサムネイル画像データからサムネイル作成部２８がサムネイル画像ファイルを作成し、後述する記憶部３０に記憶させるとともに、上記出力制御部１８がディスプレイ２２に表示する。この場合の出力制御部１８及びディスプレイ２２は、本発明の表示手段として機能する。
【００２３】
また、サムネイル画像ファイルには、上記画像読取部１０が読み取ったオリジナル画像データに関する情報、例えばオリジナル画像データの格納アドレス、ファイル名等を含ませておくのが好適である。この場合のデータの格納形式の例が図２に示される。図２においては、読取処理情報及び出力処理情報と、サムネイル画像データと、オリジナル画像データ格納アドレスと、オリジナル画像データファイル名とが関連付けられて記憶される形式となっている。
【００２４】
記憶部３０は、例えばＣＰＵの作業用のＲＡＭ、不揮発性メモリとしてのフラッシュメモリ、磁気記憶媒体等で構成されており、上述した処理情報付き画像ファイル、サムネイル画像ファイル等のデータ及びプログラムが記憶される。ここで、処理情報付き画像ファイルとして記憶部３０に記憶される画像データは、上記画像読取部１０が読み取ったオリジナル画像データと画像編集部１６により編集された編集後画像データとから画像選択部３２が選択するように構成するのが好適である。
【００２５】
図３には、上記サムネイル画像データのディスプレイ２２での表示例が示される。図３において、サムネイル画像３４は一覧表形式で表示されている。このサムネイル画像３４の上段がオリジナル画像データを間引きして縮小化した画像を表示する画像表示部３６であり、下段が記号表示部３８である。記号表示部３８には、オリジナル画像データのファイル名、作成日、画像データの処理情報等が記号化されて表示されている。このため、サムネイル画像３４に対応するオリジナル画像データの画像としての情報（画像表示部３６に表示された情報）に加えて、どのような処理条件で作成されたか等をユーザが容易に知ることができる。
【００２６】
上記サムネイル画像３４は、画像読取時、画像データのプリント出力時、画像データのファイル出力時に、処理情報検出部１２がそれぞれのジョブの処理情報を検出し、これを各サムネイル画像データに付加して作成される。この場合、サムネイル画像データは、原稿を画像読取部１０が読み取って取得したオリジナル画像データから作成されるが、画像編集部１６で編集され、出力制御部１８が出力処理を行った編集後の画像データから作成してもよい。なお、編集後の画像データから作成されたサムネイル画像データには、出力処理にかかる処理情報を記号化して付加してもよい。
【００２７】
図４（ａ）、（ｂ）には、図３に示されたサムネイル画像の一部の拡大図が示される。図４（ａ）が画像の読取ジョブの例であり、図４（ｂ）が過去に実行済である画像の印刷ジョブの例である。
【００２８】
図４（ａ）において、記号表示部３８には、記号化された処理情報が表示されている。図４（ａ）に示された例では、記号化された処理情報として、原稿サイズａ（Ａ４縦）、ジョブの種類ｂ（読取）、画像モードｃ（文字／写真）、濃度ｄ、解像度／階調ｅ（６００ｄｐｉ／２５６階調）、ファイル名ｆ及び作成日付ｇが表示されている。また、オリジナル画像データがカラー画像である場合、画像表示部３６の画像の表示をカラーとし、白黒画像である場合、画像表示部３６の画像の表示を白黒とするのが好適である。ただし、本発明はこれらに限定されるものではなく、必要に応じて処理情報を追加、削除することができる。
【００２９】
このように、画像読取部１０が原稿を読み取ったときの読取処理情報が記号表示部３８に記号化されて表示されているので、例えばサムネイル画像データに対応するオリジナル画像データをプリント出力する際のプリンタ２０の設定を、ユーザが容易且つ適切に行うことができる。また、上述したように、オリジナル画像データがカラー画像である場合には、サムネイル画像データもカラー表示されるので、ユーザは原稿を再度カラーで読み込み処理する必要があるか否か等、オリジナル画像の再利用性の判断を容易に行うことができる。
【００３０】
また、図４（ｂ）に示された例では、記号化された処理情報として、原稿サイズａ（Ａ３横）、ジョブの種類ｂ（印刷）、画像モードｃ（文字）、濃度ｄ、解像度／階調ｅ（２００ｄｐｉ／２階調）、ファイル名ｆ及び作成日付ｇが表示されている。また、図４（ｂ）では、画像モードｃにハイライト４０が表示され、表示態様に所定の変化が付けられている。このハイライト４０は、オリジナル画像データの画像読取時の処理情報に基づき、出力制御部１８で実行可能な処理情報が制限されていることを示している。図４（ｂ）の例では、オリジナル画像データが文字モードで読み取られており、出力制御部１８で実行可能な処理情報は文字モードのみであって、写真モードは実行できないことを示している。なお、処理情報の制限は、記号表示部３８の表示を半透明化するように変化させてもよい。さらに、処理情報の制限の他の例として、読取ジョブの実行時に、文書の安全に関する保護、例えばプリント出力またはファイル出力の禁止または規制、ウォーターマーク等の追加情報の付加等を行ったサムネイル画像３４を作成するのも好適である。
【００３１】
このように、出力制御部１８がプリンタ２０により印刷ジョブを実行したとき等の出力処理情報が記号表示部３８に記号化されて表示されているので、ユーザが所望のサムネイル画像データに対応するオリジナル画像データの出力処理条件を容易に認識することができる。また、本実施形態では、ユーザがディスプレイ２２に表示された所望のサムネイル画像３４をマウス等の指定手段により指定して選択すると、出力制御部１８が、当該サムネイル画像３４の記号表示部３８に表示された出力処理情報に基づき、所定の出力処理を実行するように構成されている。例えば、記号表示部３８に印刷ジョブが表示されている場合には、当該サムネイル画像３４の選択により、出力制御部１８が画像編集部１６にオリジナル画像データの編集を行わせ、その後プリンタ２０を制御して、サムネイル画像３４に表示されたプリント条件（原稿サイズ、画像モード、濃度、解像度、階調、カラーまたは白黒等）によりプリント出力を実行する。これにより、ユーザは、所望のオリジナル画像データについて過去に実行されたと同じ条件で出力を行う場合に、出力処理情報を設定しなくてもよく、簡易な作業で適切な条件によりプリント出力をさせることができる。なお、出力内容がファイル出力である場合にも、上記と同様の動作となる。
【００３２】
さらに、所望のオリジナル画像データについて出力処理情報を変更して出力した場合には、変更の出力処理情報を反映させたサムネイル画像３４が作成され、サムネイル画像ファイルとして記憶部３０に記憶される。この場合、処理情報付き画像ファイルとして記憶部３０に記憶する画像データをオリジナル画像データとし、出力処理の都度、オリジナル画像データに設定された出力情報に基づいて画像編集部１６で画像編集を行うように構成すれば、編集後の画像データを記憶する必要がないので、記憶部３０の記憶容量を節約できる。一方、サムネイル画像３４とともに編集後の画像データを記憶部３０に記憶しておけば、画像編集処理が不要となるので、印刷ジョブ等の出力動作を高速化することができる。
【００３３】
図５には、読取ジョブが付加されたサムネイル画像３４と、このサムネイル画像３４に対応するオリジナル画像データについて実行された印刷ジョブ等の出力ジョブの処理情報が付加されたサムネイル画像３４とのリンク表示の例が示される。これにより、ユーザが、所望のオリジナル画像データに関して読取処理情報及び出力処理情報を把握し易くなる。
【００３４】
図６には、図１に示された本実施形態にかかる画像処理装置において、原稿の読取ジョブを実行したときにサムネイル画像を作成する場合の動作の例のフローが示される。図６において、ユーザが原稿を画像読取部１０に接続されたスキャナ１１上に載置し、読取処理情報を設定すると（Ｓ１０１）、画像読取部１０が原稿を読み取り（Ｓ１０２）、オリジナル画像データを生成する（Ｓ１０３）。
【００３５】
次に、サムネイル作成部２８は、上記オリジナル画像データを間引きして縮小化したサムネイル画像データを作成する（Ｓ１０４）。また、処理情報検出部１２は、上記読取処理情報を抽出し（Ｓ１０５）、サムネイル作成部２８が上記読取処理情報を記号化してサムネイル画像データに付加する（Ｓ１０６）。
【００３６】
さらに、サムネイル作成部２８は、上記読取処理情報を表す記号化とサムネイル画像データとを含むサムネイル画像ファイルを作成し（Ｓ１０７）、記憶部３０に記憶する（Ｓ１０８）。
【００３７】
図７には、図１に示された本実施形態にかかる画像処理装置において、出力ジョブの内の印刷ジョブを実行する場合の動作の例のフローが示される。図７において、サムネイル画像のディスプレイ２２への出力処理をスタートさせると（Ｓ２０１）、出力制御部１８が、記憶部３０に記憶されたサムネイル画像ファイルを検索し（Ｓ２０２）、検索された処理情報付きのサムネイル画像をディスプレイ２２に一覧表示する（Ｓ２０３）。
【００３８】
次に、ユーザが、ディスプレイ２２に一覧表示されたサムネイル画像から、所望のサムネイル画像を選択すると（Ｓ２０４）、選択されたサムネイル画像ファイルを出力制御部１８が記憶部３０から読み出し（Ｓ２０５）、そのサムネイル画像ファイルに含まれるオリジナル画像データの格納アドレスに基づいてオリジナル画像データを含む処理情報付き画像ファイルを記憶部３０から読み出す（Ｓ２０６）。
【００３９】
次に、処理情報検出部１２は、上記処理情報付き画像ファイルから当該オリジナル画像データに関する出力処理情報を抽出する（Ｓ２０７）。
【００４０】
次に、出力制御部１８は、印刷ジョブが変更されたか否かを確認する（Ｓ２０８）。このジョブの変更は、例えばユーザがジョブの変更情報をキーボード等の入力装置から入力して行う。
【００４１】
印刷ジョブが変更されていない場合は、出力制御部１８が上記Ｓ２０７で抽出した出力処理情報を画像編集部１６に設定し（Ｓ２０９）、この出力処理情報に従って画像編集部１６がオリジナル画像データに編集を加える（Ｓ２１０）。編集された画像データは、出力制御部１８がプリンタ２０を制御してプリント出力する（Ｓ２１１）。
【００４２】
一方、印刷ジョブが変更されている場合は、出力制御部１８が変更後の処理情報を画像編集部１６に設定し（Ｓ２１２）、この出力処理情報に従って画像編集部１６がオリジナル画像データに編集を加える（Ｓ２１０）。編集された画像データは、出力制御部１８がプリンタ２０を制御してプリント出力する（Ｓ２１１）。
【００４３】
次に、処理情報検出部１２が、上記プリント出力された画像データについて設定された出力処理情報を抽出し（Ｓ２１３）、サムネイル作成部２８がこの出力処理情報からサムネイル画像データに付加するための出力処理情報データを作成して（Ｓ２１４）、これをサムネイル画像データに付加する（Ｓ２１５）。この場合、プリント出力された編集済画像データによりサムネイル画像を作成してもよい。
【００４４】
出力処理情報データが付加されたサムネイル画像データによりサムネイル作成部２８が新たにサムネイル画像ファイルを作成し（Ｓ２１６）、記憶部３０に記憶する（Ｓ２１７）。
【００４５】
図８には、図１に示された本実施形態にかかる画像処理装置において、出力処理情報に制限が設定された印刷ジョブを実行する場合の動作の例のフローが示される。図８において、サムネイル画像のディスプレイ２２への出力処理をスタートさせると（Ｓ３０１）、出力制御部１８が、記憶部３０に記憶されたサムネイル画像ファイルを検索し（Ｓ３０２）、検索された処理情報付きのサムネイル画像をディスプレイ２２に一覧表示する（Ｓ３０３）。
【００４６】
次に、ユーザが、ディスプレイ２２に一覧表示されたサムネイル画像から、所望のサムネイル画像を選択すると（Ｓ３０４）、選択されたサムネイル画像ファイルを出力制御部１８が記憶部３０から読み出し（Ｓ３０５）、そのサムネイル画像ファイルに含まれるオリジナル画像データの格納アドレスに基づいてオリジナル画像データを含む処理情報付き画像ファイルを記憶部３０から読み出す（Ｓ３０６）。
【００４７】
次に、処理情報検出部１２は、上記処理情報付き画像ファイルから当該オリジナル画像データに関する処理情報を抽出する（Ｓ３０７）。
【００４８】
出力制御部１８は、Ｓ３０７で抽出された処理情報に、印刷ジョブに関する制限が含まれているか否かを確認する（Ｓ３０８）。制限がない場合は、出力制御部１８が上記処理情報付き画像ファイルに含まれる処理情報に基づき制限無し画像出力処理情報を設定し（Ｓ３０９）、この画像出力処理情報に従って画像編集部１６がオリジナル画像データに編集を加える（Ｓ３１０）。編集された画像データは、出力制御部１８がプリンタ２０を制御してプリント出力する（Ｓ３１１）。
【００４９】
一方、Ｓ３０７で制限があった場合は、出力制御部１８が上記処理情報付き画像ファイルに含まれる処理情報に基づき制限付き画像出力処理情報を設定し（Ｓ３１２）、この画像出力処理情報に従って画像編集部１６がオリジナル画像データに編集を加える（Ｓ３１０）。編集された画像データは、出力制御部１８がプリンタ２０を制御してプリント出力する（Ｓ３１１）。
【００５０】
次に、処理情報検出部１２が、上記プリント出力された画像データについて設定された出力処理情報を抽出し（Ｓ３１３）、サムネイル作成部２８がこの出力処理情報からサムネイル画像データに付加するための出力処理情報データを作成して（Ｓ３１４）、これをサムネイル画像データに付加する（Ｓ３１５）。この場合、プリント出力された編集済画像データによりサムネイル画像を作成してもよい。
【００５１】
出力処理情報データが付加されたサムネイル画像データによりサムネイル作成部２８が新たにサムネイル画像ファイルを作成し（Ｓ３１６）、記憶部３０に記憶する（Ｓ３１７）。
【００５２】
以上に述べた各構成により、本発明は、オリジナル画像データに対応するサムネイル画像に処理情報が付加されているので、ユーザが容易に処理情報を認識できる。また、サムネイル画像をディスプレイ画面上で選択するだけで、サムネイル画像に付加された出力処理情報に従ってプリント出力等の出力ジョブが実行されるので、作業性、操作性が向上する。さらに、不要な出力ジョブはサムネイル画像に付加された出力処理情報に制限が表示されるので、ユーザが不要、無駄な操作をすることを防止できる。
【図面の簡単な説明】
【００５３】
【図１】本発明にかかる画像処理装置の構成例のブロック図である。
【図２】サムネイル画像ファイルに含まれるオリジナル画像データに関する情報の格納形式の例を示す図である。
【図３】サムネイル画像データのディスプレイでの表示例を示す図である。
【図４】図３に示されたサムネイル画像の一部の拡大図である。
【図５】読取ジョブが付加されたサムネイル画像と、出力ジョブが付加されたサムネイル画像とのリンク表示の例を示す図である。
【図６】本発明にかかる画像処理装置において、原稿の読取ジョブを実行したときにサムネイル画像を作成する場合の動作の例のフロー図である。
【図７】本発明にかかる画像処理装置において、印刷ジョブを実行する場合の動作の例のフロー図である。
【図８】本発明にかかる画像処理装置において、出力処理情報に制限が設定された印刷ジョブを実行する場合の動作の例のフロー図である。
【符号の説明】
【００５４】
１０  画像読取部、１１  スキャナ、１２  処理情報検出部、１４  ファイル作成部、１６  画像編集部、１８  出力制御部、２０  プリンタ、２２  ディスプレイ、２４  ファイル出力部、２６  出力選択部、２８  サムネイル作成部、３０  記憶部、３２  画像選択部、３４  サムネイル画像、３６  画像表示部、３８  記号表示部、４０  ハイライト。
【図１】
2006270451.tif 000003
【図２】
2006270451.tif 000004
【図３】
2006270451.tif 000005
【図４】
2006270451.tif 000006
【図５】
2006270451.tif 000007
【図６】
2006270451.tif 000008
【図７】
2006270451.tif 000009
【図８】
2006270451.tif 000010